(57)【要約】【課題】画像内でなぞった軌跡により指定された領域の形状の識別を容易に行う。【解決手段】撮像装置１００であって、表示パネル８ａの表示領域に表示された画像内で、ユーザによる操作入力部５の所定操作に基づいて描画された境界線で閉じられた第１領域を特定する領域特定部９ｂと、特定された第１領域と、画像における第１領域以外の第２領域とを互いに識別可能な表示態様で表示領域に表示させる表示制御部８ｂと、を備えている。【選択図】図１
2013191011.tif 000002
【特許請求の範囲】
【請求項１】
画像を取得する取得手段と、
前記取得手段により取得された画像を表示手段の表示領域に表示させる第１表示制御手段と、
前記第１表示制御手段により前記表示領域に表示された画像内で、ユーザによる操作手段の所定操作に基づいて描画された境界線で閉じられた第１領域を特定する特定手段と、
前記特定手段により特定された前記第１領域と、前記画像における前記第１領域以外の第２領域とを互いに識別可能な表示態様で前記表示領域に表示させる第２表示制御手段と、
を備えたことを特徴とする画像処理装置。
【請求項２】
前記第１領域及び前記第２領域のうち、切り抜き対象領域として指定された何れか一の領域を前記画像から切り抜く処理を行う画像処理手段を更に備えたことを特徴とする請求項１記載の画像処理装置。
【請求項３】
前記第２表示制御手段は、前記第１領域の識別表示と前記第２領域の識別表示とを排他的に切り替えて前記表示領域に表示させることを特徴とする請求項１又は２に記載の画像処理装置。
【請求項４】
前記境界線の色及び太さのうち、少なくとも一方を設定する第１設定手段を更に備え、
前記第２表示制御手段は、前記第１領域と前記第２領域との境界に、前記第１設定手段により色及び太さのうちの少なくとも一方が設定された境界線を表示させることを特徴とする請求項１〜３の何れか一項に記載の画像処理装置。
【請求項５】
前記第１領域及び前記第２領域のうち、切り抜き対象領域として指定された何れか一の領域以外の領域の色を設定する第２設定手段を更に備え、
前記第２表示制御手段は、前記第２設定手段により設定された色で前記切り抜き対象領域以外の領域を表示させることを特徴とする請求項１〜４の何れか一項に記載の画像処理装置。
【請求項６】
前記第１領域及び前記第２領域のうち、何れか一の領域を前記切り抜き対象領域として指定する指定手段を更に備え、
前記画像処理手段は、前記指定手段により前記切り抜き対象領域として指定された何れか一の領域を前記画像から切り抜く処理を行うことを特徴とする請求項２に記載の画像処理装置。
【請求項７】
前記特定手段は、ユーザによる操作手段の所定操作に基づいて所定数の境界線が描画された場合に、前記所定数の境界線で閉じられる複数の閉領域の大きさ及び前記閉領域どうしの重なり具合のうち、少なくとも一方に基づいて、前記第１領域を特定することを特徴とする請求項１〜６の何れか一項に記載の画像処理装置。
【請求項８】
前記特定手段は、複数の閉領域のうち、何れか一の閉領域の内側に他の閉領域が存する場合に、これらの二つの閉領域により形成される環状の領域を前記第１領域として特定することを特徴とする請求項７に記載の画像処理装置。
【請求項９】
前記特定手段は、複数の閉領域どうしが互いに重なり合う場合に、重なり合う領域の大きさを基準として、当該重なり合う領域を含む領域を前記第１領域として特定するか、或いは、当該重なり合う領域を含まない領域を前記第１領域として特定することを特徴とする請求項７に記載の画像処理装置。
【請求項１０】
前記特定手段は、前記閉領域の数が所定数を超える場合には、前記第１領域の特定を行わないことを特徴とする請求項７〜９の何れか一項に記載の画像処理装置。
【請求項１１】
前記第１領域及び前記第２領域のうち、前記画像処理手段によって切り抜かれた領域の切り抜き画像を記録する記録手段を更に備えることを特徴とする請求項２に記載の画像処理装置。
【請求項１２】
画像処理装置を用いた画像処理方法であって、
画像を取得するステップと、
取得された画像を表示手段の表示領域に表示させるステップと、
前記表示領域に表示された画像内で、ユーザによる操作手段の所定操作に基づいて描画された境界線で閉じられた第１領域を特定するステップと、
特定された前記第１領域と、前記画像における前記第１領域以外の第２領域とを互いに識別可能な表示態様で前記表示領域に表示させるステップと、
を含むことを特徴とする画像処理方法。
【請求項１３】
画像処理装置のコンピュータを、
画像を取得する取得手段、
前記取得手段により取得された画像を表示手段の表示領域に表示させる第１表示制御手段、
前記第１表示制御手段により前記表示領域に表示された画像内で、ユーザによる操作手段の所定操作に基づいて描画された境界線で閉じられた第１領域を特定する特定手段、
前記特定手段により特定された前記第１領域と、前記画像における前記第１領域以外の第２領域とを互いに識別可能な表示態様で前記表示領域に表示させる第２表示制御手段、
として機能させることを特徴とするプログラム。
【発明の詳細な説明】
【技術分野】
【０００１】
本発明は、画像処理装置、画像処理方法及びプログラムに関する。
【背景技術】
【０００２】
従来、タッチパネル上をなぞる操作を行って画像内で任意の形状の領域を指定して、指定された領域の画像に対して各種の処理を行う技術が知られている（例えば、特許文献１参照）。また、なぞった軌跡を表示する技術も知られている。
【先行技術文献】
【特許文献】
【０００３】
【特許文献１】特開２００６−２６２０４１号公報
【発明の概要】
【発明が解決しようとする課題】
【０００４】
しかしながら、上記特許文献１などの先行技術においては、なぞった軌跡を識別できるが、この軌跡によって指定された領域の形状を識別し難いという問題があった。
【０００５】
そこで、本願発明の課題は、画像内でなぞった軌跡により指定された領域の形状の識別を容易に行うことができる画像処理装置、画像処理方法及びプログラムを提供することである。
【課題を解決するための手段】
【０００６】
上記課題を解決するため、本発明に係る画像処理装置は、
画像を取得する取得手段と、前記取得手段により取得された画像を表示手段の表示領域に表示させる第１表示制御手段と、前記第１表示制御手段により前記表示領域に表示された画像内で、ユーザによる操作手段の所定操作に基づいて描画された境界線で閉じられた第１領域を特定する特定手段と、前記特定手段により特定された前記第１領域と、前記画像における前記第１領域以外の第２領域とを互いに識別可能な表示態様で前記表示領域に表示させる第２表示制御手段と、を備えたことを特徴としている。
【０００７】
また、本発明に係る画像処理方法は、
画像処理装置を用いた画像処理方法であって、画像を取得するステップと、取得された画像を表示手段の表示領域に表示させるステップと、前記表示領域に表示された画像内で、ユーザによる操作手段の所定操作に基づいて描画された境界線で閉じられた第１領域を特定するステップと、特定された前記第１領域と、前記画像における前記第１領域以外の第２領域とを互いに識別可能な表示態様で前記表示領域に表示させるステップと、を含むことを特徴としている。
【０００８】
また、本発明に係るプログラムは、
画像処理装置のコンピュータを、画像を取得する取得手段、前記取得手段により取得された画像を表示手段の表示領域に表示させる第１表示制御手段、前記第１表示制御手段により前記表示領域に表示された画像内で、ユーザによる操作手段の所定操作に基づいて描画された境界線で閉じられた第１領域を特定する特定手段、前記特定手段により特定された前記第１領域と、前記画像における前記第１領域以外の第２領域とを互いに識別可能な表示態様で前記表示領域に表示させる第２表示制御手段、として機能させることを特徴としている。
【発明の効果】
【０００９】
本発明によれば、画像内でなぞった軌跡により指定された領域の形状の識別を容易に行うことができる。
【図面の簡単な説明】
【００１０】
【図１】本発明を適用した一実施形態の撮像装置の概略構成を示すブロック図である。
【図２】図１の撮像装置による画像生成処理に係る動作の一例を示すフローチャートである。
【図３】図２の画像生成処理に係る画像の一例を模式的に示す図である。
【図４】図２の画像生成処理に係る画像の一例を模式的に示す図である。
【図５】画像生成処理の変形例に係る画像の一例を模式的に示す図である。
【発明を実施するための形態】
【００１１】
以下に、本発明について、図面を用いて具体的な態様を説明する。ただし、発明の範囲は、図示例に限定されない。
【００１２】
図１は、本発明を適用した一実施形態の撮像装置１００の概略構成を示すブロック図である。
図１に示すように、本実施形態の撮像装置１００は、中央制御部１と、メモリ２と、撮像部３と、画像データ生成部４と、操作入力部５と、境界線条件設定部６と、領域色設定部７と、表示部８と、画像処理部９と、画像記録部１０とを備えている。
また、中央制御部１、メモリ２、撮像部３、画像データ生成部４、操作入力部５、境界線条件設定部６、領域色設定部７、表示部８、画像処理部９及び画像記録部１０は、バスライン１１を介して接続されている。
【００１３】
中央制御部１は、撮像装置１００の各部を制御するものである。具体的には、中央制御部１は、図示は省略するが、ＣＰＵ（Central Processing Unit）、ＲＡＭ（Random Access Memory）、ＲＯＭ（Read Only Memory）を備え、撮像装置１００用の各種処理プログラム（図示略）に従って各種の制御動作を行う。
【００１４】
メモリ２は、例えば、ＤＲＡＭ（Dynamic Random Access Memory）等により構成され、中央制御部１や画像処理部９等の各部によって処理されるデータ等を一時的に記憶するものである。
【００１５】
撮像部３は、背景内に存在する被写体（例えば、サッカーボール等）を撮像する。具体的には、撮像部３は、レンズ部３ａと、電子撮像部３ｂと、撮像制御部３ｃとを備えている。
【００１６】
レンズ部３ａは、例えば、ズームレンズやフォーカスレンズ等の複数のレンズから構成されている。
電子撮像部３ｂは、例えば、ＣＣＤ（Charge Coupled Device）やＣＭＯＳ（Complementary Metal-oxide Semiconductor）等のイメージセンサから構成され、レンズ部３ａの各種レンズを通過した光学像を二次元の画像信号に変換する。
なお、図示は省略するが、撮像部３は、レンズ部３ａを通過する光の量を調整する絞りを備えていても良い。
【００１７】
撮像制御部３ｃは、撮像部３による被写体の撮像を制御する。即ち、撮像制御部３ｃは、図示は省略するが、タイミング発生器、ドライバなどを備えている。そして、撮像制御部３ｃは、タイミング発生器、ドライバにより電子撮像部３ｂを走査駆動して、所定周期毎に光学像を電子撮像部３ｂにより二次元の画像信号に変換させ、当該電子撮像部３ｂの撮像領域から１画面分ずつフレーム画像を読み出して画像データ生成部４に出力させる。
【００１８】
画像データ生成部４は、背景内に被写体が存在する元画像Ｐ１（図３参照）の画像データを生成する。具体的には、画像データ生成部４は、電子撮像部３ｂから転送されたフレーム画像のアナログ値の信号に対してＲＧＢの各色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。
カラープロセス回路から出力される輝度信号Ｙ及び色差信号Ｃｂ，Ｃｒは、図示しないＤＭＡコントローラを介して、バッファメモリとして使用されるメモリ２にＤＭＡ転送される。
【００１９】
操作入力部５は、撮像装置１００本体に対して各種指示を入力するためのものである。
具体的には、操作入力部５は、モードや機能等の選択指示に係る上下左右のカーソルボタンや決定ボタン、電話の発着信や電子メールの送受信等の実行指示に係る通信関連ボタン、テキストの入力指示に係る数字ボタンや記号ボタン等の各種ボタン（何れも図示略）を備えている。
そして、ユーザにより各種ボタンが操作されると、操作入力部５は、操作されたボタンに応じた操作指示を中央制御部１に出力する。中央制御部１は、操作入力部５から出力され入力された操作指示に従って所定の動作（例えば、被写体の撮像等）を各部に実行させる。
【００２０】
また、操作入力部５は、表示部８の表示パネル８ａ（後述）と一体となって設けられたタッチパネル５ａを有している。
タッチパネル５ａは、表示パネル８ａの表示領域をなす表示画面に直接的若しくは間接的に接触するユーザの指（手）やタッチペン等の接触位置を検出する。即ち、タッチパネル５ａは、例えば、表示画面上或いは当該表示画面よりも内側に設けられ、抵抗膜方式、超音波表面弾性波方式、静電容量方式等の各種方式により、表示画面上における接触位置のＸＹ座標を検出する。そして、タッチパネル５ａは、接触位置のＸＹ座標に係る位置信号を中央制御部１や画像処理部９に出力する。
具体的には、タッチパネル５ａは、例えば、表示パネル８ａに表示された元画像Ｐ１内で、ユーザによる所定操作に従って境界線Ｌ（図４（ａ）参照）が描画されると、当該境界線Ｌの接触位置のＸＹ座標に係る位置信号を画像処理部９に出力する。
なお、タッチパネル５ａによる表示画面上における接触位置の検出精度は、適宜任意に変更可能であり、例えば、厳密に一の画素を接触位置としても良いし、一の画素を中心とする所定範囲内の複数の画素を接触位置としても良い。また、境界線Ｌの描画操作を、タッチパネル５ａを用いて行うようにしたが、一例であってこれに限られるものではなく、操作入力部５の他のボタン、例えば、上下左右移動キーなどを用いて行っても良いし、装置本体に外部接続された描画用のデバイス（図示略）を用いて行っても良い。
【００２１】
境界線条件設定部６は、元画像Ｐ１内に描画される境界線Ｌの各種条件を設定する。
即ち、境界線条件設定部６は、第１設定手段として、境界線Ｌの色及び太さのうち、少なくとも一方を設定する。
具体的には、境界線条件設定部６は、例えば、ユーザによる操作入力部５の所定操作に基づいて所望の色が指定されると、当該色を境界線Ｌの色として設定する。或いは、境界線条件設定部６は、例えば、ユーザによる操作入力部５の所定操作に基づいて境界線Ｌが描画される際に、元画像Ｐ１内で当該境界線Ｌの周囲の色情報を取得して、コントラストが大きくなる色を境界線Ｌの色として自動的に設定する。
また、境界線条件設定部６は、例えば、ユーザによる操作入力部５の所定操作（例えば、表示パネル８ａに表示された所定のアイコンＢ１（図３参照）の接触操作等）に基づいて所望の太さが指定されると、当該太さを境界線Ｌの太さとして設定する。ここで、境界線Ｌの太さは、予め異なる太さを複数規定しておき、これら複数の太さの中でユーザ所望の太さを設定するようにしても良い。或いは、境界線条件設定部６は、例えば、ユーザによる操作入力部５の所定操作に基づいて境界線Ｌが描画される際に、所定位置におけるタッチパネル５ａの接触操作が開始されてから終了するまでの時間に対応する位置信号が連続して入力された時間や、当該境界線Ｌの長さや元画像Ｐ１内での境界線Ｌの位置等を考慮して、境界線Ｌの太さを自動的に設定するようにしても良い。
なお、境界線Ｌの太さは、タッチパネル５ａによる接触位置の検出精度、即ち、タッチパネル５ａの接触位置に対応する一の画素を中心として接触位置とみなされる接触擬制範囲の大きさを調整することで変化させる（例えば、境界線Ｌが太いほど、接触擬制範囲を広くする等）ようにしても良い。
【００２２】
領域色設定部７は、元画像Ｐ１における切り抜き対象領域Ａ（図４（ａ）等参照）以外の領域の色を設定する。
即ち、領域色設定部７は、第２設定手段として、第１領域Ａ１及び第２領域Ａ２（図４（ａ）等参照）のうち、切り抜き対象領域Ａとして指定された何れか一の領域以外の領域の色を設定する。つまり、領域色設定部７は、第１領域Ａ１を切り抜き対象領域Ａとして第１領域Ａ１を識別表示させる際の当該第１領域Ａ１以外の第２領域Ａ２の色、及び、第２領域Ａ２を切り抜き対象領域Ａとして第２領域Ａ２を識別表示させる際の第１領域Ａ１の色のうち、少なくとも一方を設定する。
具体的には、領域色設定部７は、例えば、ユーザによる操作入力部５の所定操作に基づいて所望の色が指定されると、当該色を切り抜き対象領域Ａ以外の領域の色として設定する。或いは、領域色設定部７は、例えば、ユーザによる操作入力部５の所定操作に基づいて境界線Ｌが描画される際に、元画像Ｐ１内で当該境界線Ｌの周囲の色情報を取得して、コントラストが大きくなる色を切り抜き対象領域Ａ以外の領域の色として自動的に設定する。
【００２３】
表示部８は、表示パネル８ａと、表示制御部８ｂとを具備している。
表示パネル（表示手段）８ａは、表示領域内に画像（例えば、元画像Ｐ１等）を表示する。また、表示パネル８ａとしては、例えば、液晶表示パネルや有機ＥＬ表示パネルなどが挙げられるが、一例であってこれらに限られるものではない。
【００２４】
表示制御部８ｂは、画像記録部１０から読み出され画像処理部９により復号された所定サイズの画像データに基づいて、所定の画像を表示パネル８ａの表示画面に表示させる制御を行う。具体的には、表示制御部８ｂは、ＶＲＡＭ（Video Random Access Memory）、ＶＲＡＭコントローラ、デジタルビデオエンコーダなどを備えている。そして、デジタルビデオエンコーダは、画像処理部９により復号されてＶＲＡＭ（図示略）に記憶されている輝度信号Ｙ及び色差信号Ｃｂ，Ｃｒを、ＶＲＡＭコントローラを介してＶＲＡＭから所定の再生フレームレート（例えば、１０ｆｐｓ）で読み出して、これらのデータを元にビデオ信号を発生して表示パネル８ａに出力する。
【００２５】
また、表示制御部８ｂは、第１表示制御手段として、画像取得部９ａにより取得された画像を表示パネル８ａの表示領域に表示させる。即ち、後述するように、ユーザによる操作入力部５の所定操作に基づいてユーザ所望の元画像Ｐ１（図３参照）の画像データが画像取得部９ａにより取得されると、表示制御部８ｂは、元画像Ｐ１の画像データを画像取得部９ａから取得して、当該元画像Ｐ１を表示パネル８ａの表示領域に表示させる。
【００２６】
また、表示制御部８ｂは、第２表示制御手段として、元画像Ｐ１内で特定された第１領域Ａ１と、当該元画像Ｐ１における第１領域Ａ１以外の第２領域Ａ２とを互いに識別可能な表示態様で表示パネル８ａに表示させる。
即ち、画像生成処理（詳細後述）にて、ユーザによる操作入力部５の所定操作に基づいて元画像Ｐ１内で境界線Ｌが描画されると、表示制御部８ｂは、当該境界線Ｌで閉じられた第１領域Ａ１の識別表示と、第２領域Ａ２の識別表示とを排他的に切り替えて表示パネル８ａに表示させる。具体的には、表示制御部８ｂは、ユーザによる操作入力部５の所定操作（例えば、表示パネル８ａに表示された所定のアイコンＢ２（図４（ａ）等参照）の接触操作等）に基づいて、第１領域Ａ１の識別表示と、第２領域Ａ２の識別表示とを排他的に切り替えて表示パネル８ａに表示させる。
【００２７】
第１領域Ａ１の識別表示とは、当該第１領域Ａ１を切り抜き対象領域Ａ以外の領域に対して識別可能な表示態様を含む。具体的には、例えば、第１領域Ａ１以外の領域、即ち、境界線Ｌの外側の領域（第２領域Ａ２）の色を所定の色（例えば、単一色）とした表示態様（図４（ａ）参照）や、境界線Ｌや第１領域Ａ１以外の領域を点滅表示させる表示態様等が挙げられる。
第２領域Ａ２の識別表示とは、当該第２領域Ａ２を切り抜き対象領域Ａ以外の領域に対して識別可能な表示態様を含む。具体的には、例えば、第２領域Ａ２以外の領域、即ち、境界線Ｌの内側の領域（第１領域Ａ１）の色を所定の色（例えば、単一色）とした表示態様（図４（ｂ）参照）や、境界線Ｌや第２領域Ａ２以外の領域を点滅表示させる表示態様等が挙げられる。
【００２８】
また、表示制御部８ｂは、第１領域Ａ１の識別表示や第２領域Ａ２の識別表示の際に、境界線条件設定部６により境界線Ｌの色及び太さのうちの少なくとも一方が設定された場合には、設定された色や太さの境界線Ｌを第１領域Ａ１と第２領域Ａ２との境界に表示させても良い。
また、表示制御部８ｂは、第１領域Ａ１の識別表示や第２領域Ａ２の識別表示の際に、領域色設定部７により切り抜き対象領域Ａ以外の領域の色が設定された場合には、設定された色で切り抜き対象領域Ａ以外の領域となる第１領域Ａ１や第２領域Ａ２を表示させても良い。
なお、図４（ａ）及び図４（ｂ）において、切り抜き対象領域Ａ以外の領域（図４（ａ）における第２領域Ａ２や図４（ｂ）における第１領域Ａ１等）は、ドットを付して模式的に表している。
【００２９】
画像処理部９は、画像記録部１０から読み出された表示対象に係る静止画像（例えば、被写体存在画像等）や動画像の画像データを対応する所定の符号化方式（例えば、ＪＰＥＧ形式、モーションＪＰＥＧ形式、ＭＰＥＧ形式など）に従って復号して、表示制御部８ｂに出力する。このとき、画像処理部９は、画像記録部１０から読み出された画像データを、例えば、表示パネル８ａの表示解像度等に基づいて所定サイズ（例えば、ＶＧＡやＱＶＧＡサイズ）に縮小して表示制御部８ｂに出力する。
【００３０】
また、画像処理部９は、画像取得部９ａと、領域特定部９ｂと、切り抜き画像生成部９ｃとを具備している。
なお、画像処理部９の各部は、例えば、所定のロジック回路から構成されているが、当該構成は一例であってこれに限られるものではない。
【００３１】
画像取得部９ａは、画像生成処理に用いられる画像を取得する。
即ち、画像取得部９ａは、取得手段として、ユーザ所望の元画像Ｐ１を画像生成処理の処理対象画像として取得する。具体的には、画像取得部９ａは、画像記録部１０に記録されている少なくとも一の画像の中で、ユーザによる操作入力部５の所定操作に基づいて指定されたユーザ所望の元画像Ｐ１（図３参照）の画像データを取得する。
【００３２】
領域特定部９ｂは、元画像Ｐ１内で、ユーザによる所定の描画操作に対応する境界線Ｌで閉じられた第１領域Ａ１を特定する。
即ち、領域特定部９ｂは、特定手段として、表示パネル８ａの表示領域に表示された元画像Ｐ１内で、ユーザによる操作入力部５の所定操作に基づいて描画された境界線Ｌで閉じられた第１領域Ａ１を特定する。
具体的には、表示パネル８ａの表示領域に元画像Ｐ１が表示された状態で、領域特定部９ｂは、ユーザによる操作入力部５のタッチパネル５ａの接触操作に基づいて当該タッチパネル５ａにより連続して検出された接触位置のＸＹ座標に係る位置信号が入力されると、当該タッチパネル５ａの接触位置の各々を操作点の各々として特定する。続けて、領域特定部９ｂは、特定された複数の操作点どうしを結線することで、ユーザによる描画操作に対応する元画像Ｐ１内での境界線Ｌを特定する。そして、領域特定部９ｂは、特定された境界線Ｌの内側に閉じられた閉領域が構成されているか否かを判定し、この判定の結果、閉領域が構成されていると判定されると、当該閉領域を第１領域Ａ１として特定する。
このとき、領域特定部９ｂは、例えば、上下左右の画像境界のうち、少なくとも一の画像境界と境界線Ｌとによって閉じられた領域を第１領域Ａ１として特定しても良い。
【００３３】
また、ユーザによる操作入力部５の所定操作に基づいて複数の境界線Ｌ、…が描画されても良く、この場合には、領域特定部９ｂは、複数の境界線Ｌ、…により形成される閉領域の数が所定数（例えば、１００等）を超えるか否かを判定し、この判定の結果、閉領域の数が所定数を超えると判定された場合には、第１領域Ａ１の特定を行わないようにしても良い。
【００３４】
切り抜き画像生成部９ｃは、切り抜き対象領域Ａとして指定された領域を元画像Ｐ１から切り抜く処理を行う。
即ち、切り抜き画像生成部９ｃは、画像処理手段として、第１領域Ａ１及び第２領域Ａ２のうち、切り抜き対象領域Ａとして指定された何れか一の領域を元画像Ｐ１から切り抜く画像切り抜き処理を行う。具体的には、表示パネル８ａの表示領域に第１領域Ａ１と第２領域Ａ２とが互いに識別可能な表示態様で表示された状態で、ユーザによる操作入力部５の所定操作に基づいて第１領域Ａ１及び第２領域Ａ２の中で切り抜き対象領域Ａが指定されると、切り抜き画像生成部９ｃは、切り抜き対象領域Ａとして指定された何れか一の領域（例えば、第１領域Ａ１等）を元画像Ｐ１から切り抜く処理を行う。
ここで、操作入力部５は、第１領域Ａ１及び第２領域Ａ２のうち、何れか一の領域を切り抜き対象領域Ａとして指定する指定手段を構成している。
なお、ユーザによる操作入力部５の所定操作に基づいて切り抜き対象領域Ａを指定するようにしたが、切り抜き対象領域Ａの指定の手法は一例であってこれに限られるものではなく、適宜任意に変更可能である。例えば、切り抜き画像生成部９ｃは、第１領域Ａ１及び第２領域Ａ２の各々のコントラストや解像感（例えば、高周波成分の量）等を算出して、ピントの合っている領域を切り抜き対象領域Ａとして自動的に指定するようにしても良い。
【００３５】
画像切り抜き処理では、例えば、切り抜き画像生成部９ｃは、元画像Ｐ１における切り抜き対象領域Ａ（例えば、第１領域Ａ１等）の位置を示す位置情報（例えば、アルファマップ）を生成する。ここで、アルファマップとは、元画像Ｐ１の各画素について、切り抜き対象領域Ａ内の画像を所定の背景に対してアルファブレンディングする際の重みをアルファ値（０≦α≦１）として表したものである。なお、第１領域Ａ１と第２領域Ａ２の境目部分は、例えば、エッジ検出により境界の検出を行うようにしても良いし、コントラストや解像感（例えば、高周波成分の量）等を考慮して境界の検出を行うようにしても良いし、境界線Ｌの幅（太さ）方向の中央部を境界として検出するようにしても良い。
そして、切り抜き画像生成部９ｃは、生成されたアルファマップに基づいて、元画像Ｐ１の各画素のうち、アルファ値が１の画素を所定の単一色画像（図示略）に対して透過させずに、且つ、アルファ値が０の画素を透過させるように、切り抜き対象領域Ａ内の画像を所定の単一色画像と合成して切り抜き画像Ｐ２（図４（ｃ）参照）の画像データを生成する。
【００３６】
画像記録部１０は、例えば、不揮発性メモリ（フラッシュメモリ）等により構成されている。また、画像記録部１０は、画像処理部９の符号化部（図示略）により所定の符号化方式で符号化された各種の画像（例えば、切り抜き画像Ｐ２等）の画像データを記録する。
具体的には、画像記録部１０は、記録手段として、第１領域Ａ１及び第２領域Ａ２のうち、切り抜き対象領域Ａとして切り抜き画像生成部９ｃにより切り抜かれた領域（例えば、第１領域Ａ１等）の切り抜き画像Ｐ２を記録する。例えば、画像記録部１０は、切り抜き画像Ｐ２の画像データをアルファマップと対応付けて、当該切り抜き画像Ｐ２の画像データの拡張子を「.jpe」として記録する。
なお、画像記録部１０は、例えば、記録媒体（図示略）が着脱自在に構成され、装着された記録媒体からのデータの読み出しや記録媒体に対するデータの書き込みを制御する構成であっても良い。
【００３７】
次に、撮像装置１００による画像生成処理について、図２〜図４を参照して説明する。
図２は、画像生成処理に係る動作の一例を示すフローチャートである。
【００３８】
以下に説明する画像生成処理は、ユーザによる操作入力部５の所定操作に基づいて、メニュー画面（図示略）に表示された複数の動作モードの中から切抜画像生成モードが選択指示された場合に実行される処理である。
【００３９】
＜画像生成処理＞
図２に示すように、先ず、表示制御部８ｂは、処理対象となる画像の指定を指示する所定のメッセージを表示パネル８ａの表示画面に表示させ、中央制御部１は、ユーザによる操作入力部５の所定操作に基づいて、表示パネル８ａに表示されている少なくとも一の画像の中でユーザ所望の画像が指定されたか否かを判定する（ステップＳ１）。
ここで、ユーザ所望の画像（元画像Ｐ１）が指定されたと判定されると（ステップＳ１；ＹＥＳ）、画像処理部９の画像取得部９ａは、画像記録部１０から指定された元画像Ｐ１の画像データを読み出して取得し、表示制御部８ｂは、読み出された元画像Ｐ１を表示パネル８ａの表示画面に表示させる（ステップＳ２）。
なお、ステップＳ１にて、画像が指定されていないと判定されると（ステップＳ１；ＮＯ）、中央制御部１は、処理をステップＳ１に戻し、画像が指定されたと判定されるまで（ステップＳ１；ＹＥＳ）、表示パネル８ａの表示画面に画像の指定に係る所定のメッセージを表示した状態で待機させる。
【００４０】
次に、境界線条件設定部６は、描画される境界線Ｌの各種条件を設定するとともに、領域色設定部７は、切り抜き対象領域Ａ以外の領域の色を設定する（ステップＳ３）。
具体的には、表示制御部８ｂは、例えば、境界線Ｌの各種条件の設定を指示する画面を表示パネル８ａの表示画面に表示させ、境界線条件設定部６は、ユーザによる操作入力部５の所定操作に基づいて指定された所望の色や太さを、境界線Ｌの色や太さとして設定する。また、表示制御部８ｂは、例えば、切り抜き対象領域Ａ以外の領域の色の設定を指示する画面を表示パネル８ａの表示画面に表示させ、領域色設定部７は、ユーザによる操作入力部５の所定操作に基づいて指定された所望の色を、切り抜き対象領域Ａ以外の領域の色として設定する。
なお、境界線Ｌの各種条件の設定や切り抜き対象領域Ａ以外の領域の色の設定は、境界線の描画の際や描画後に行われても良い。即ち、予め境界線Ｌの各種条件や切り抜き対象領域Ａ以外の領域の色をデフォルトとして設定しておき、ユーザ所望のタイミングで、境界線Ｌの色や太さがユーザ所望の色や太さとなるように、また、切り抜き対象領域Ａ以外の領域の色がユーザ所望の色となるように設定するようにしても良い。
【００４１】
続けて、領域特定部９ｂは、所定期間内に、ユーザによる表示パネル８ａの表示領域における操作点の入力指示があるか否かを判定する（ステップＳ４）。具体的には、領域特定部９ｂは、表示パネル８ａの表示画面に対するユーザの指（手）やタッチペン等の接触がタッチパネル５ａにより検出されることで当該タッチパネル５ａから出力された接触位置のＸＹ座標に係る位置信号が入力されたか否かに応じて、ユーザによる操作点の入力があるか否かを判定する。
ステップＳ４にて、ユーザによる操作点の入力がないと判定されると（ステップＳ４；ＮＯ）、領域特定部９ｂは、処理をステップＳ４に戻し、上記の判定処理を所定のタイミングで繰り返し実行する（ステップＳ４）。
【００４２】
一方、ステップＳ４にて、ユーザによる操作点の入力があると判定されると（ステップＳ４；ＹＥＳ）、領域特定部９ｂは、複数の操作点からユーザによる描画操作に対応する元画像Ｐ１内での境界線Ｌを特定する（ステップＳ５；図４（ａ）参照）。このとき、表示制御部８ｂは、領域特定部９ｂにより特定された境界線Ｌを予め境界線条件設定部６により設定された色や太さで表示パネル８ａに表示させる。
【００４３】
続けて、領域特定部９ｂは、特定された境界線Ｌによって閉じられた閉領域が構成されているか否かを判定する（ステップＳ６）。
ここで、閉領域が構成されていないと判定されると（ステップＳ６；ＮＯ）、領域特定部９ｂは、処理をステップＳ４に戻し、表示パネル８ａの表示領域における次の操作点の入力指示を受け付ける。
【００４４】
そして、ステップＳ６にて、閉領域が構成されたと判定されると（ステップＳ６；ＹＥＳ）、領域特定部９ｂは、閉領域の数が所定数（例えば、１００等）以上あるか否かを判定する（ステップＳ７）。
ここで、本実施形態の画像生成処理では、閉領域が一つ構成されているものとして説明する。
ステップＳ７にて、閉領域の数が所定数以上ないと判定されると（ステップＳ７；ＮＯ）、領域特定部９ｂは、閉領域を第１領域Ａ１として特定する（ステップＳ８）。そして、表示制御部８ｂは、第１領域Ａ１を切り抜き対象領域Ａ以外の領域（第２領域Ａ２）に対して識別可能な表示態様で表示パネル８ａに表示（識別表示）させる（ステップＳ９；図４（ａ）参照）。具体的には、表示制御部８ｂは、例えば、境界線条件設定部６により設定された色や太さの境界線Ｌを第１領域Ａ１と第２領域Ａ２との境界に表示させるとともに、領域色設定部７により設定された色で第２領域Ａ２を表示させる。
なお、ステップＳ７にて、閉領域の数が所定数以上あると判定された場合には（ステップＳ７；ＹＥＳ）、中央制御部１のＣＰＵは、処理をステップＳ２に戻し、表示制御部８ｂは、元画像Ｐ１を表示パネル８ａの表示画面に表示させる（ステップＳ２）。
【００４５】
次に、中央制御部１のＣＰＵは、ユーザによる操作入力部５の所定操作（例えば、表示パネル８ａに表示された所定のアイコンＢ３（図４（ａ）等参照）の接触操作等）に基づいて、切り抜き対象領域Ａとしての第１領域Ａ１の切り抜き指示が入力されたか否かを判定する（ステップＳ１０）。
ここで、ステップＳ１０にて、切り抜き指示が入力されたと判定（ステップＳ１０；ＹＥＳ）される場合については、後述する。
【００４６】
一方、ステップＳ１０にて、切り抜き指示が入力されていないと判定されると（ステップＳ１０；ＮＯ）、中央制御部１は、ユーザによる操作入力部５の所定操作（例えば、表示パネル８ａに表示された所定のアイコンＢ２（図４（ａ）等参照）の接触操作等）に基づいて、切り抜き対象領域Ａの切替え指示が入力されたか否かを判定する（ステップＳ１１）。
ここで、切り抜き対象領域Ａの切替え指示が入力されていないと判定されると（ステップＳ１１；ＮＯ）、中央制御部１のＣＰＵは、処理をステップＳ１０に戻し、切り抜き指示が入力されたか否かの判定処理を所定のタイミングで繰り返し実行する（ステップＳ１０）。
【００４７】
一方、ステップＳ１１にて、切り抜き対象領域Ａの切替え指示が入力されたと判定されると（ステップＳ１１；ＹＥＳ）、表示制御部８ｂは、第２領域Ａ２を切り抜き対象領域Ａ以外の領域（第１領域Ａ１）に対して識別可能な表示態様で表示パネル８ａに表示（識別表示）させる（ステップＳ１２；図４（ｂ）参照）。具体的には、表示制御部８ｂは、例えば、境界線条件設定部６により設定された色や太さの境界線Ｌを第１領域Ａ１と第２領域Ａ２との境界に表示させるとともに、領域色設定部７により設定された色で第１領域Ａ１を表示させる。
続けて、中央制御部１のＣＰＵは、ユーザによる操作入力部５の所定操作（例えば、表示パネル８ａに表示された所定のアイコンＢ３（図４（ａ）等参照）の接触操作等）に基づいて、切り抜き対象領域Ａとしての第２領域Ａ２の切り抜き指示が入力されたか否かを判定する（ステップＳ１３）。
ここで、切り抜き指示が入力されていないと判定されると（ステップＳ１３；ＮＯ）、中央制御部１のＣＰＵは、処理をステップＳ１１に戻し、切り抜き対象領域Ａの切替え指示が入力されたか否かの判定処理を所定のタイミングで繰り返し実行する（ステップＳ１１）。
【００４８】
一方、ステップＳ１３にて、切り抜き指示が入力されたと判定されると（ステップＳ１３；ＹＥＳ）、或いは、ステップＳ１０にて、切り抜き指示が入力されたと判定されると（ステップＳ１０；ＹＥＳ）、切り抜き画像生成部９ｃは、切り抜き対象領域Ａとして指定された領域を元画像Ｐ１から切り抜く画像切り抜き処理を行う（ステップＳ１４）。この切り抜き処理の際に、境界線の近くにコントランス比の大きい等の画像の輪郭が抽出された場合には、この輪郭に合わせて切り抜き処理を行ってもよい。また、輪郭が抽出されない場合は、境界線の内側、外側や中央で切り抜き処理を行う。
即ち、ステップＳ１０にて、第１領域Ａ１を切り抜き対象領域Ａとする切り抜き指示が入力されたと判定された場合には（ステップＳ１０；ＹＥＳ）、切り抜き画像生成部９ｃは、第１領域Ａ１を元画像Ｐ１から切り抜く画像切り抜き処理を行う（図４（ｃ）参照）。一方で、ステップＳ１３にて、第２領域Ａ２を切り抜き対象領域Ａとする切り抜き指示が入力されたと判定された場合には（ステップＳ１３；ＹＥＳ）、切り抜き画像生成部９ｃは、第２領域Ａ２を元画像Ｐ１から切り抜く画像切り抜き処理を行う。
なお、画像切り抜き処理の詳細な処理内容については、段落００３４に上述しているため、その説明は省略する。
【００４９】
その後、画像記録部１０は、切り抜き対象領域Ａとして元画像Ｐ１から切り抜かれた領域（例えば、第１領域Ａ１等）の切り抜き画像Ｐ２の画像データを記録して（ステップＳ１５）、画像生成処理を終了する。
【００５０】
以上のように、本実施形態の撮像装置１００によれば、ユーザによる操作入力部５の所定操作に基づいて描画された境界線Ｌで閉じられた第１領域Ａ１と、元画像Ｐ１における第１領域Ａ１以外の第２領域Ａ２とを互いに識別可能な表示態様で表示パネル８ａの表示領域に表示させるので、ユーザに所望の形状の領域が指定できたかどうかの識別を適正に行わせることができる。そして、画像切り抜き処理にて、第１領域Ａ１及び第２領域Ａ２のうち、切り抜き対象領域Ａとして指定された何れか一の領域を元画像Ｐ１から適正に切り抜くことができる。
具体的には、第１領域Ａ１の識別表示と第２領域Ａ２の識別表示とを排他的に切り替えて表示パネル８ａの表示領域に表示させるので、第１領域Ａ１及び第２領域Ａ２のうち、識別表示されている領域を切り抜き対象領域Ａとしてユーザに適正に把握させることができる。
このように、元画像Ｐ１内で、切り抜かれる領域等のユーザがなぞった軌跡により指定された領域の形状の識別を容易に行うことができる。
つまり、ユーザが自分で指定した領域が正しいことを確認することができる。特に指定した境界線の軌跡だけを表示するのでは、閉空間を正しく認識できたか否かを確認できないので、画像の切抜きなどで、閉空間を認識する場合には、線のつながりや線と線の隙間を正しく認識できない可能性もあり、そのような誤認識も確認可能となる。
【００５１】
また、第１領域Ａ１と第２領域Ａ２との境界に、色及び太さのうちの少なくとも一方が設定された境界線Ｌを表示させるので、元画像Ｐ１の内容によっては境界線Ｌが見難くなる場合に、当該境界線Ｌの色や太さを設定することで、第１領域Ａ１と第２領域Ａ２の境目部分をユーザに適正に把握させることができる。さらに、ユーザ所望の色や太さに設定された境界線Ｌを描画することができ、当該境界線Ｌでユーザ所望の領域を閉じる描画操作をより簡便に行うことができる。
また、第１領域Ａ１を識別表示させる際の切り抜き対象領域Ａ以外の領域となる第２領域Ａ２の色や第２領域Ａ２を識別表示させる際の切り抜き対象領域Ａ以外の領域となる第１領域Ａ１の色を設定して、当該第１領域Ａ１及び第２領域Ａ２を表示させるので、元画像Ｐ１の内容によっては切り抜き対象領域Ａが見難くなる場合に、当該切り抜き対象領域Ａ以外の領域の色を設定することで、切り抜き対象領域Ａをユーザに適正に把握させることができる。
【００５２】
また、例えば、ユーザによる操作入力部５の所定操作に基づいて、第１領域Ａ１及び第２領域Ａ２のうち、何れか一の領域を切り抜き対象領域Ａとして指定することで、切り抜き対象領域Ａの指定を適正に行うことができ、当該切り抜き対象領域Ａとして指定された領域の切り抜きを適正に行うことができる。
【００５３】
さらに、境界線Ｌで閉じられた閉領域の数が所定数を超える場合には、第１領域Ａ１の特定を行わないので、処理能力のあまり高くない演算装置を搭載した撮像装置１００であっても、画像生成処理を効率良く行うことができる。
【００５４】
また、第１領域Ａ１及び第２領域Ａ２のうち、画像切り抜き処理によって切り抜かれた領域の切り抜き画像Ｐ２を記録するので、当該切り抜き画像Ｐ２を各種の後処理（例えば、背景画像と合成する画像合成処理等）に利用することができる。
【００５５】
なお、本発明は、上記実施形態に限定されることなく、本発明の趣旨を逸脱しない範囲において、種々の改良並びに設計の変更を行っても良い。
例えば、上記実施形態の画像生成処理では、閉領域を一つとして説明したが、閉領域の数は一例であってこれに限られるものではなく、適宜任意に変更可能である。即ち、領域特定部９ｂは、ユーザによる操作入力部５の所定操作に基づいて描画された所定数の境界線Ｌにより閉じられる閉領域を複数特定した場合には、所定数の境界線Ｌで閉じられる複数の閉領域の大きさ及び閉領域どうしの重なり具合のうち、少なくとも一方に基づいて、第１領域Ａ１を特定するようにしても良い（図５（ａ）〜図５（ｄ）等参照）。
なお、図５（ａ）〜図５（ｄ）にあっては、第１領域Ａ１に斜線を付して模式的に表し、当該第１領域Ａ１以外の領域（第２領域Ａ２）にドットを付して模式的に表している。
【００５６】
具体的には、例えば、図５（ａ）に示すように、複数の境界線Ｌ、…に対応する閉領域のうち、何れか一の閉領域の内側に当該閉領域よりも小面積の他の閉領域が存する場合には、領域特定部９ｂは、これらの二つの閉領域により形成される環状の領域を第１領域Ａ１として特定しても良い。
また、例えば、図５（ｂ）及び図５（ｃ）に示すように、複数の境界線Ｌ、…に対応する閉領域どうしが互いに重なり合う場合には、領域特定部９ｂは、重なり合う領域の大きさを基準として、当該重なり合う領域を含む領域を第１領域Ａ１（図５（ｃ）参照）として特定するか、或いは、当該重なり合う領域を含まない領域を第１領域Ａ１（図５（ｂ）参照）として特定するかを判定する。具体的には、領域特定部９ｂは、例えば、複数の閉領域全体に対する重なり合う領域の大きさ（例えば、画素数等）の割合を算出し、当該割合が所定の閾値以上であるか否かに応じて、第１領域Ａ１に重なり合う領域を含ませるか否かを判定する。
なお、複数の境界線Ｌ、…に対応する閉領域どうしが互いに重なり合わない場合には、領域特定部９ｂは、複数の閉領域の全てを第１領域Ａ１としても良いし（図５（ｄ）参照）、所定数の閉領域（例えば、面積が最大の一の閉領域等）を第１領域Ａ１としても良い。
【００５７】
また、複数の閉領域どうしが互いに重なり合うか否かに拘わらず、閉領域の数が所定数を超えた場合には、領域特定部９ｂは、第１領域Ａ１の特定を行わないようにしても良い。
なお、複数の閉領域は、例えば、複数の境界線Ｌの各々によって個別に構成されるものであっても良いし、一筆書きのようにして描画される一の境界線が既に描画済みの部分と交わることによって構成されるものであっても良い。
【００５８】
従って、複数の閉領域が特定された場合であっても、各閉領域の大きさ及び閉領域どうしの重なり具合のうち、少なくとも一方に基づいて第１領域Ａ１を特定することができ、切り抜き対象領域Ａとなる第１領域Ａ１や第２領域Ａ２の特定をユーザの意図に沿うように適正に行うことができる。
【００５９】
また、上記画像生成処理にて、生成された切り抜き画像Ｐ２を画像記録部１０に記録するようにしたが、当該切り抜き画像Ｐ２を記録するか否かは適宜任意に変更可能であり、生成された切り抜き画像Ｐ２を単に再生表示する構成であっても良い。
【００６０】
さらに、上記実施形態では、境界線条件設定部６を備え、境界線Ｌの色及び太さのうち、少なくとも一方を設定するようにしたが、境界線Ｌの色や太さを設定するか否かは適宜任意に変更可能であり、必ずしも境界線条件設定部６を備える必要はない。
また、上記実施形態では、領域色設定部７を備え、切り抜き対象領域Ａ以外の領域の色を設定するようにしたが、切り抜き対象領域Ａ以外の領域の色を設定するか否かは適宜任意に変更可能であり、必ずしも領域色設定部７を備える必要はない。
【００６１】
さらに、上記実施形態では、境界線Ｌの内側の閉じられた閉領域を第１領域Ａ１として特定するようにしたが、一例であってこれに限られるものではなく、適宜任意に変更可能である。例えば、上下左右の画像境界のうち、少なくとも一の画像境界と境界線Ｌの外側とにより閉じられた領域を第１領域Ａ１として特定しても良い。
【００６２】
また、撮像装置１００の構成は、上記実施形態に例示したものは一例であり、これらに限られるものではない。さらに、画像処理装置として、撮像装置１００を例示したが、これらに限られるものではない。また、第１表示制御手段及び第２表示制御手段の双方を構成する表示制御部８ｂを例示したが、表示制御部８ｂの構成は一例であってこれに限られるものではなく、例えば、第１表示制御手段及び第２表示制御手段の各々を構成する第１表示制御部及び第２表示制御部を独立して設けても良い。
【００６３】
加えて、上記実施形態にあっては、取得手段、第１表示制御手段、特定手段、第２表示制御手段としての機能を、中央制御部１の制御下にて、画像取得部９ａ、領域特定部９ｂ、表示制御部８ｂが駆動することにより実現される構成としたが、これに限られるものではなく、中央制御部１のＣＰＵによって所定のプログラム等が実行されることにより実現される構成としても良い。
即ち、プログラムを記憶するプログラムメモリ（図示略）に、取得処理ルーチン、第１表示制御処理ルーチン、特定処理ルーチン、第２表示制御処理ルーチンを含むプログラムを記憶しておく。そして、取得処理ルーチンにより中央制御部１のＣＰＵを、画像を取得する取得手段として機能させるようにしても良い。また、第１表示制御処理ルーチンにより中央制御部１のＣＰＵを、取得手段により取得された画像を表示手段の表示領域に表示させる第１表示制御手段として機能させるようにしても良い。また、特定処理ルーチンにより中央制御部１のＣＰＵを、第１表示制御手段により表示領域に表示された画像内で、ユーザによる操作手段の所定操作に基づいて描画された境界線Ｌで閉じられた第１領域Ａ１を特定する特定手段として機能させるようにしても良い。また、第２表示制御処理ルーチンにより中央制御部１のＣＰＵを、特定手段により特定された第１領域Ａ１と、画像における第１領域Ａ１以外の第２領域Ａ２とを互いに識別可能な表示態様で表示領域に表示させる第２表示制御手段として機能させるようにしても良い。
【００６４】
同様に、画像処理手段、第１設定手段、第２設定手段、指定手段についても、中央制御部１のＣＰＵによって所定のプログラム等が実行されることにより実現される構成としても良い。
【００６５】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００６６】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
画像を取得する取得手段と、
前記取得手段により取得された画像を表示手段の表示領域に表示させる第１表示制御手段と、
前記第１表示制御手段により前記表示領域に表示された画像内で、ユーザによる操作手段の所定操作に基づいて描画された境界線で閉じられた第１領域を特定する特定手段と、
前記特定手段により特定された前記第１領域と、前記画像における前記第１領域以外の第２領域とを互いに識別可能な表示態様で前記表示領域に表示させる第２表示制御手段と、
を備えたことを特徴とする画像処理装置。
＜請求項２＞
前記第１領域及び前記第２領域のうち、切り抜き対象領域として指定された何れか一の領域を前記画像から切り抜く処理を行う画像処理手段を更に備えたことを特徴とする請求項１記載の画像処理装置。
＜請求項３＞
前記第２表示制御手段は、前記第１領域の識別表示と前記第２領域の識別表示とを排他的に切り替えて前記表示領域に表示させることを特徴とする請求項１又は２に記載の画像処理装置。
＜請求項４＞
前記境界線の色及び太さのうち、少なくとも一方を設定する第１設定手段を更に備え、
前記第２表示制御手段は、前記第１領域と前記第２領域との境界に、前記第１設定手段により色及び太さのうちの少なくとも一方が設定された境界線を表示させることを特徴とする請求項１〜３の何れか一項に記載の画像処理装置。
＜請求項５＞
前記第１領域及び前記第２領域のうち、切り抜き対象領域として指定された何れか一の領域以外の領域の色を設定する第２設定手段を更に備え、
前記第２表示制御手段は、前記第２設定手段により設定された色で前記切り抜き対象領域以外の領域を表示させることを特徴とする請求項１〜４の何れか一項に記載の画像処理装置。
＜請求項６＞
前記第１領域及び前記第２領域のうち、何れか一の領域を前記切り抜き対象領域として指定する指定手段を更に備え、
前記画像処理手段は、前記指定手段により前記切り抜き対象領域として指定された何れか一の領域を前記画像から切り抜く処理を行うことを特徴とする請求項２に記載の画像処理装置。
＜請求項７＞
前記特定手段は、ユーザによる操作手段の所定操作に基づいて所定数の境界線が描画された場合に、前記所定数の境界線で閉じられる複数の閉領域の大きさ及び前記閉領域どうしの重なり具合のうち、少なくとも一方に基づいて、前記第１領域を特定することを特徴とする請求項１〜６の何れか一項に記載の画像処理装置。
＜請求項８＞
前記特定手段は、複数の閉領域のうち、何れか一の閉領域の内側に他の閉領域が存する場合に、これらの二つの閉領域により形成される環状の領域を前記第１領域として特定することを特徴とする請求項７に記載の画像処理装置。
＜請求項９＞
前記特定手段は、複数の閉領域どうしが互いに重なり合う場合に、重なり合う領域の大きさを基準として、当該重なり合う領域を含む領域を前記第１領域として特定するか、或いは、当該重なり合う領域を含まない領域を前記第１領域として特定することを特徴とする請求項７に記載の画像処理装置。
＜請求項１０＞
前記特定手段は、前記閉領域の数が所定数を超える場合には、前記第１領域の特定を行わないことを特徴とする請求項７〜９の何れか一項に記載の画像処理装置。
＜請求項１１＞
前記第１領域及び前記第２領域のうち、前記画像処理手段によって切り抜かれた領域の切り抜き画像を記録する記録手段を更に備えることを特徴とする請求項２に記載の画像処理装置。
＜請求項１２＞
画像処理装置を用いた画像処理方法であって、
画像を取得するステップと、
取得された画像を表示手段の表示領域に表示させるステップと、
前記表示領域に表示された画像内で、ユーザによる操作手段の所定操作に基づいて描画された境界線で閉じられた第１領域を特定するステップと、
特定された前記第１領域と、前記画像における前記第１領域以外の第２領域とを互いに識別可能な表示態様で前記表示領域に表示させるステップと、
を含むことを特徴とする画像処理方法。
＜請求項１３＞
画像処理装置のコンピュータを、
画像を取得する取得手段、
前記取得手段により取得された画像を表示手段の表示領域に表示させる第１表示制御手段、
前記第１表示制御手段により前記表示領域に表示された画像内で、ユーザによる操作手段の所定操作に基づいて描画された境界線で閉じられた第１領域を特定する特定手段、
前記特定手段により特定された前記第１領域と、前記画像における前記第１領域以外の第２領域とを互いに識別可能な表示態様で前記表示領域に表示させる第２表示制御手段、
として機能させることを特徴とするプログラム。
【符号の説明】
【００６７】
１００  撮像装置
１      中央制御部
５      操作入力部
５ａ    タッチパネル
６      境界線条件設定部
７      領域色設定部
８      表示部
８ａ    表示パネル
８ｂ    表示制御部
９      画像処理部
９ａ    画像取得部
９ｂ    領域特定部
９ｃ    切り抜き画像生成部
１０    画像記録部
【図１】
2013191011.tif 000003
【図２】
2013191011.tif 000004
【図５】
2013191011.tif 000005
【図３】
2013191011.tif 000006
【図４】
2013191011.tif 000007